(57)【要約】【課題】コミュニケーション中における議論の内容を確実且つ効率良く抽出する。【解決手段】複数の端末装置と、記録装置とを備え、複数の端末装置の間においてコミュニケーションデータを送受信するコミュニケーションシステムであって、複数の端末装置のうち少なくとも１つは、ユーザによる描画操作を受け付け、受け付けた描画操作に応じた描画データを生成してディスプレイに表示する描画部を有し、描画部を有する端末装置は、所定の描画操作を受け付けた場合、議論の開始を検出する開始検出部と、議論の終了を検出する終了検出部とを有し、記録装置は、それぞれの端末装置から送信されたコミュニケーションデータを取得するコミュニケーションデータ取得部と、コミュニケーションデータにおける議論を開始した開始時刻から議論を終了した終了時刻までの部分を抽出して、ユーザ毎の発言を表す議論データを生成する議論データ生成部とを有する。【選択図】図８
2017016484.tif 000002
【特許請求の範囲】
【請求項１】
複数の端末装置と、記録装置とを備え、複数の前記端末装置の間において、複数のユーザ間のコミュニケーションの内容を表すコミュニケーションデータをネットワークを介して送受信するコミュニケーションシステムであって、
前記複数の端末装置のうち少なくとも１つは、ユーザによる描画操作を受け付け、受け付けた描画操作に応じた描画データを生成してディスプレイに表示する描画部を有し、
前記記録装置または前記描画部を有する前記端末装置は、
前記描画部が議論の開始を示す所定の描画操作を受け付けた場合、議論の開始を検出する開始検出部と、
前記議論の終了を検出する終了検出部と、
を有し、
前記記録装置は、
それぞれの前記端末装置から送信された前記コミュニケーションデータを取得するコミュニケーションデータ取得部と、
前記コミュニケーションデータにおける前記議論を開始した開始時刻から前記議論を終了した終了時刻までの部分を抽出して、ユーザ毎の発言を表す議論データを生成する議論データ生成部と、
を有するコミュニケーションシステム。
【請求項２】
前記終了検出部は、前記議論の開始が検出された後に、前記コミュニケーションデータに含まれる音声データの空白期間が一定期間より長くなった場合、前記議論の終了を検出する
請求項１に記載のコミュニケーションシステム。
【請求項３】
前記終了検出部は、前記議論の開始が検出された後に、前記描画部が議論の終了を示す所定の描画を受け付けた場合、議論の終了を検出する
請求項１に記載のコミュニケーションシステム。
【請求項４】
前記記録装置または前記描画部を有する前記端末装置は、
前記描画部を有する前記端末装置のディスプレイに表示された画像を表す画面データを取得する画面取得部
をさらに有し、
前記記録装置は、
前記画面データと、少なくとも１つの前記議論データとを含む会議データを生成する会議データ生成部
をさらに有する
請求項１から３の何れか１項に記載のコミュニケーションシステム。
【請求項５】
前記記録装置または前記描画部を有する前記端末装置は、
議論の開始を示す所定の描画を受け付けた位置を検出し、検出した位置を表す位置情報を生成する位置検出部
をさらに有し、
前記会議データ生成部は、それぞれの前記議論毎に、前記位置情報および前記議論データを組にして前記会議データに含める
請求項４に記載のコミュニケーションシステム。
【請求項６】
前記会議データ生成部は、前記位置情報が示す位置の離間距離が予め定められた値以下である複数の前記議論データを、１つの前記位置情報および１つの前記議論データの組に合成する
請求項５に記載のコミュニケーションシステム。
【請求項７】
少なくとも１つの前記端末装置は、
前記会議データを取得する会議データ取得部と、
取得した前記会議データに含まれる前記画面データを表示装置に表示させる画面データ表示部と、
前記表示装置における、取得した前記会議データに含まれる前記位置情報に示された位置に、前記議論データの存在を示すリンク情報を表示させるリンク表示部と、
何れかの前記リンク情報がユーザにより選択された場合、選択された前記リンク情報の元となる前記位置情報に対応する前記議論データを出力する議論データ出力部と、
を有する
請求項５または６に記載のコミュニケーションシステム。
【請求項８】
前記議論データ出力部は、ユーザの役割に応じてユーザ毎の発言の表示を変更する
請求項７に記載のコミュニケーションシステム。
【請求項９】
前記記録装置は、
抽出した前記コミュニケーションデータに含まれる音声データをテキストデータに変換する変換部
をさらに有し、
前記議論データ生成部は、変換したテキストデータを前記議論データに含め、
前記議論データ出力部は、前記議論データに含まれる前記テキストデータを発言毎に表示する
請求項７または８に記載のコミュニケーションシステム。
【請求項１０】
それぞれの前記端末装置は、
前記コミュニケーションデータを入力するデータ入力部と、
入力した前記コミュニケーションデータをネットワークを介して他の前記端末装置へと送信するデータ送信部と、
前記コミュニケーションデータをネットワークを介して他の前記端末装置から受信するデータ受信部と、
受信した前記コミュニケーションデータを出力するデータ出力部と、
を有する請求項１から９の何れか１項に記載のコミュニケーションシステム。
【請求項１１】
前記描画部は、電子ペンまたはジェスチャによるユーザの描画操作を受け付け、受け付けた描画操作に応じた描画データを生成してディスプレイに表示する
請求項１から１０の何れか１項に記載のコミュニケーションシステム。
【請求項１２】
請求項１から１１の何れか１項に記載のコミュニケーションシステムに備えられる記録装置。
【請求項１３】
請求項１から１１の何れか１項に記載のコミュニケーションシステムに備えられる端末装置。
【請求項１４】
コンピュータを、請求項１２に記載の記録装置として機能させるためのプログラム。
【請求項１５】
コンピュータを、請求項１３に記載の端末装置として機能させるためのプログラム。
【請求項１６】
複数の端末装置と、記録装置とを備え、複数の前記端末装置の間において、複数のユーザ間のコミュニケーションの内容を表すコミュニケーションデータをネットワークを介して送受信するコミュニケーションシステムにおいて実行される情報処理方法であって、
前記複数の端末装置のうち少なくとも１つは、ユーザによる描画操作を受け付け、受け付けた描画操作に応じた描画データを生成してディスプレイに表示する描画部を有し、
前記記録装置または前記描画部を有する前記端末装置が、
前記描画部が議論の開始を示す所定の描画操作を受け付けた場合、議論の開始を検出する開始検出ステップと、
前記議論の終了を検出する終了検出ステップと、
を実行し、
前記記録装置が、
それぞれの前記端末装置から送信された前記コミュニケーションデータを取得するコミュニケーションデータ取得ステップと、
前記コミュニケーションデータにおける前記議論を開始した開始時刻から前記議論を終了した終了時刻までの部分を抽出して、ユーザ毎の発言を表す議論データを生成する議論データ生成ステップと、
を実行する情報処理方法。
【発明の詳細な説明】
【技術分野】
【０００１】
本発明は、コミュニケーションシステム、記録装置、端末装置、プログラムおよび情報処理方法に関する。
【背景技術】
【０００２】
従来、ネットワークを介して接続された複数の端末装置間において相互に画像データおよび音声データ等を送受信して、ユーザに会議等をさせる会議システムが知られている。このような会議システムでは、会議中において大量のデータをやり取りしているので、全てのデータを記録しておくことは困難であった。
【０００３】
特許文献１には、会議参加者が特定の指示語を発話した場合に、データの記録を開始するシステムが記載されている。
【発明の概要】
【発明が解決しようとする課題】
【０００４】
しかし、会議中に特定の指示語を発話するのは、不自然である。また、指示語の発話を忘れてしまう可能性もある。
【０００５】
本発明は、上記に鑑みてなされたものであって、コミュニケーション中における議論の内容を確実且つ効率良く抽出することを目的とする。
【課題を解決するための手段】
【０００６】
上述した課題を解決し、目的を達成するために、本発明に係るコミュニケーションシステムは、複数の端末装置と、記録装置とを備え、複数の前記端末装置の間において、複数のユーザ間のコミュニケーションの内容を表すコミュニケーションデータをネットワークを介して送受信するコミュニケーションシステムであって、前記複数の端末装置のうち少なくとも１つは、ユーザによる描画操作を受け付け、受け付けた描画操作に応じた描画データを生成してディスプレイに表示する描画部を有し、前記記録装置または前記描画部を有する前記端末装置は、前記描画部が議論の開始を示す所定の描画操作を受け付けた場合、議論の開始を検出する開始検出部と、前記議論の終了を検出する終了検出部と、を有し、前記記録装置は、それぞれの前記端末装置から送信された前記コミュニケーションデータを取得するコミュニケーションデータ取得部と、前記コミュニケーションデータにおける前記議論を開始した開始時刻から前記議論を終了した終了時刻までの部分を抽出して、ユーザ毎の発言を表す議論データを生成する議論データ生成部と、を有する。
【発明の効果】
【０００７】
本発明によれば、コミュニケーション中における議論の内容を確実且つ効率良く抽出することができる。
【図面の簡単な説明】
【０００８】
【図１】図１は、実施形態に係る会議システムを示す図である。
【図２】図２は、会議システムでのデータの伝送処理を示す図である。
【図３】図３は、電子黒板の外観の一例を示す図である。
【図４】図４は、電子黒板のハードウェア構成を示す図である。
【図５】図５は、通信装置のハードウェア構成を示す図である。
【図６】図６は、記録装置のハードウェア構成を示す図である。
【図７】図７は、会議システムのコミュニケーションデータの伝送のための機能ブロックを示す図である。
【図８】図８は、会議システムの会議データの生成および出力のための機能ブロックを示す図である。
【図９】図９は、会議データの構成を示す図である。
【図１０】図１０は、会議中における議論データの生成処理手順を示すフローチャートである。
【図１１】図１１は、会議の終了時における処理手順を示すフローチャートである。
【図１２】図１２は、会議データの出力時の処理手順を示すフローチャートである。
【図１３】図１３は、会議中において所定の描画操作がされた電子黒板を示す図である。
【図１４】図１４は、会議中において所定の描画操作をしたことに応じて停止ボタンが表示された電子黒板を示す図である。
【図１５】図１５は、画面データを表示した電子黒板を示す図である。
【図１６】図１６は、議論データを表示した電子黒板を示す図である。
【図１７】図１７は、議論データの表示例を示す図である。
【図１８】図１８は、ユーザの役割毎の発言の強調方法を表すテーブルを示す図である。
【図１９】図１９は、ユーザの役割に応じて発言が強調された議論データの表示例を示す図である。
【発明を実施するための形態】
【０００９】
以下、図面を参照しながら実施形態に係る会議システムについて詳細に説明する。本実施形態に係る会議システムは、互いに離れた場所のユーザ同士にコミュニケーションをさせるためのシステムである。本実施形態に係る会議システムは、コミュニケーション中における議論の内容を確実且つ効率良く抽出して、記録することを目的としている。
【００１０】
（全体構成）
図１は、実施形態に係る会議システム１０を示す図である。会議システム１０は、複数のユーザ間のコミュニケーションの内容を表すコミュニケーションデータを送受信するコミュニケーションシステムの一例である。
【００１１】
会議システム１０は、複数の端末装置２０と、管理装置３０と、中継装置４０と、記録装置５０とを備える。複数の端末装置２０、管理装置３０、中継装置４０および記録装置５０は、ネットワークを介して相互に接続して、データを送受信する。ネットワークは、ＬＡＮ（Local  Area  Network）であってもよいし、ＷＡＮ（Wide  Area  Network）であってもよいし、ＷＡＮに公衆回線が含まれてもよいし、どのようなネットワークであってもよい。
【００１２】
それぞれの端末装置２０は、ユーザにより操作される。端末装置２０は、コミュニケーションデータの入力、および、コミュニケーションデータの出力をする。コミュニケーションデータは、複数のユーザ間のコミュニケーションの内容を表すデータであって、例えば、ユーザの音声を表す音声データ、ユーザを撮像した画像データおよびテキストデータ等を含む。コミュニケーションデータは、電子黒板２２等に描画された画像を表す描画データを含む。また、コミュニケーションデータは、プレゼンテーションでプロジェクタ等に表示する資料データを含んでもよい。また、コミュニケーションデータは、チャット等で用いられるメッセージを示すデータを含んでもよい。
【００１３】
端末装置２０は、周囲から取得した信号およびユーザが操作入力した情報等をデータに変換し、コミュニケーションデータとしてネットワークを介して他の端末装置２０にリアルタイムで送信する。また、端末装置２０は、他の端末装置２０からネットワークを介してコミュニケーションデータを受信し、リアルタイムで再生して、ユーザに出力する。なお、端末装置２０は、中継装置４０を介して、コミュニケーションデータを他の端末装置２０に送信する。
【００１４】
それぞれの端末装置２０は、種類の異なる機器であってよい。例えば、端末装置２０は、ユーザが電子ペンまたはジェスチャを用いてディスプレイに描画をすることができる電子黒板２２であってもよい。また、端末装置２０は、電子黒板２２と、周囲の音声の入力および音声の出力をすることができるマイクロフォンスピーカ２３とを含んでもよい。
【００１５】
また、端末装置２０は、遠隔会議に用いるための専用の通信装置２４と、表示装置２５とを含んでもよい。通信装置２４は、周囲のユーザの音声および画像を撮像して、他の端末装置２０へとネットワークを介して送信する。また、通信装置２４は、他の端末装置２０からネットワークを介して音声データおよび画像データを受信して、音声の出力および画像の表示装置２５への出力をすることができる。
【００１６】
また、通信装置２４は、コンピュータ２６を接続することもできる。コンピュータ２６は、画像を表示したり、プレゼンテーション用の資料データを表示したりすることができる。また、端末装置２０は、スマートフォン、タブレット端末または携帯電話機等であってもよい。なお、本実施形態において、複数の端末装置２０のうち少なくとも１つは、ユーザによる描画を受け付ける電子黒板２２等の機器である。
【００１７】
管理装置３０は、例えばサーバまたはコンピュータ等の情報処理装置である。管理装置３０は、複数の端末装置２０の間の中継装置４０を介した通信を確立させる。また、管理装置３０は、それぞれの端末装置２０を利用するユーザを管理する。また、管理装置３０は、それぞれのユーザのコミュニケーションにおける役割を管理する。管理装置３０は、例えば、複数の端末装置２０の間での通信の確立時において、それぞれのユーザの役割を設定する。
【００１８】
中継装置４０は、例えばサーバまたはコンピュータ等の情報処理装置である。中継装置４０は、それぞれの端末装置２０からコミュニケーションデータを受信し、それぞれの端末装置２０に受信したコミュニケーションデータを転送する。
【００１９】
記録装置５０は、例えばサーバまたはコンピュータ等の情報処理装置である。それぞれの端末装置２０からコミュニケーションデータを受信する。記録装置５０は、会議中におけるユーザ間の議論毎に、受信したコミュニケーションデータを抽出して記録する。また、記録装置５０は、議論毎に記録しているコミュニケーションデータを端末装置２０に与えて出力させる。
【００２０】
図２は、会議システム１０でのデータの伝送処理を示す図である。管理装置３０は、端末装置２０間の管理用データの転送を制御する。管理装置３０は、複数の端末装置２０の間でセッション形成し、セッションを形成した複数の端末装置２０の間のデータの送受信を管理する。
【００２１】
中継装置４０は、それぞれの端末装置２０から他の端末装置２０へ、コミュニケーションデータ（例えば、音声データ、画像データおよび描画データ等）を転送する。記録装置５０は、それぞれの端末装置２０からコミュニケーションデータを受信して、受信したコミュニケーションデータの一部を記録する。
【００２２】
管理装置３０、中継装置４０および記録装置５０は、１つのサーバまたはコンピュータ等により実現されてもよいし、複数のサーバまたはコンピュータが連携して動作することにより実現されてもよい。また、管理装置３０、中継装置４０および記録装置５０は、１つのサーバまたはコンピュータに両者が実現されてもよい。
【００２３】
（外観およびハードウェア構成）
図３は、電子黒板２２の外観の一例を示す図である。電子黒板２２は、本体部２１１と、支柱２１２と、脚部２１３とを備える。
【００２４】
本体部２１１は、ディスプレイ２２０を含み、電子黒板２２の主機能を有する。支柱２１２は、ディスプレイ２２０の表示面が垂直に配置されるように、本体部２１１を支持する。脚部２１３は、当該電子黒板２２が転倒しないように、支柱２１２を床に対して支持する。さらに、脚部２１３は、キャスタを有し、電子黒板２２を床の上で移動させる。このような電子黒板２２は、ディスプレイ２２０に対する電子ペンおよび手によるユーザの操作を入力し、ユーザの操作に応じた描画データを表示することができる。また、電子黒板２２は、コンピュータ等と同様にアプリケーションプログラムを実行して、情報の出力を行うことができる。
【００２５】
図４は、電子黒板２２のハードウェア構成を示す図である。電子黒板２２は、ＣＰＵ（Central  Processing  Unit）２２１と、ＲＯＭ（Read  Only  Memory）２２２と、ＲＡＭ（Random  Access  Memory）２２３と、フラッシュメモリ２２４と、ＳＳＤ（Solid  State  Drive）２２５と、ＨＤ（Hard  Disk）２２６と、ＨＤＤ（Hard  Disk  Drive）２２７と、ネットワークＩ／Ｆ２２８と、メディアドライブ２２９と、音声入出力Ｉ／Ｆ２３１と、画像入力Ｉ／Ｆ２３２と、キャプチャデバイス２３３と、ＧＰＵ（Graphics  Processing  Unit）２３４と、ディスプレイ２２０と、ディスプレイコントローラ２３５と、接触センサ２３６と、センサコントローラ２３７と、電子ペンコントローラ２３８と、バスライン２４０とを備える。
【００２６】
ＣＰＵ２２１は、電子黒板２２の全体の動作を制御する。ＲＯＭ２２２は、ＣＰＵ２２１の駆動に用いられるプログラムを記憶する。ＲＡＭ２２３は、ＣＰＵ２２１のワークエリアとして使用される。フラッシュメモリ２２４は、電子黒板２２用の制御プログラム等の各種データを記憶する。電子黒板２２は、フラッシュメモリ２２４に代えて、ＥＥＰＲＯＭ等を備えてもよい。ＳＳＤ２２５は、ＣＰＵ２２１の制御に従ってフラッシュメモリ２２４に対する各種データの読み出しまたは書き込みを制御する。
【００２７】
ＨＤ２２６は、通信装置２４へと提供するためのデータおよびプログラム等を記憶する。ＨＤＤ２２７は、ＣＰＵ２２１の制御に従ってＨＤ２２６に対する各種データの読み出しまたは書き込みを制御する。
【００２８】
ネットワークＩ／Ｆ２２８は、ネットワークを介した通信を制御する。メディアドライブ２２９は、電子黒板２２に対して着脱可能なフラッシュメモリ等の記録メディアに対するデータの読み出しまたは書き込み（記憶）を制御する。音声入出力Ｉ／Ｆ２３１は、ＣＰＵ２２１の制御に従ってマイクロフォンスピーカ等との間で音信号の入出力を処理する。
【００２９】
画像入力Ｉ／Ｆ２３２は、カメラにより撮像された画像を入力する。キャプチャデバイス２３３は、例えば他のコンピュータのディスプレイに表示された静止画または動画を取り込む。ＧＰＵ２３４は、グラフィクス処理を実行する。ＧＰＵ２３４は、ユーザにより入力された情報に応じた画像の描画処理を実行する。また、ＧＰＵ２３４は、描画した画像と、キャプチャデバイス２３３により取り込まれた画像およびカメラから入力した画像とを合成する処理等を実行する。ディスプレイコントローラ２３５は、ＧＰＵ２３４からの出力画像をディスプレイ２２０へ出力するために画面表示の制御および管理を行う。
【００３０】
接触センサ２３６は、電子ペンまたはユーザの手によるディスプレイ２２０に対する接触の操作および情報の入力を検知する。センサコントローラ２３７は、ＣＰＵ２２１の制御に従って接触センサ２３６の処理を制御する。
【００３１】
接触センサ２３６は、例えば、赤外線遮断方式による座標の入力および座標の検出を行う。座標の入力および座標の検出する方法は、ディスプレイ２２０の上側両端部に設置された２つの受発光装置が、ディスプレイ２２０に平行して複数の赤外線を放射し、ディスプレイ２２０の周囲に設けられた反射部材によって反射されて、受光素子が放射した光の光路と同一の光路上を戻って来る光を受光する方法である。接触センサ２３６は、物体によって遮断された２つの受発光装置が放射した赤外線のＩＤ（Identification）をセンサコントローラ２３７に出力する。センサコントローラ２３７は、物体の接触位置である座標位置を特定する。
【００３２】
また、接触センサ２３６として、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００３３】
電子ペンコントローラ２３８は、電子ペンと通信することで、ディスプレイ２２０へのペン先のタッチやペン尻のタッチの有無を判断する。なお、電子ペンコントローラ２３８が、電子ペンのペン先およびペン尻だけでなく、電子ペンのユーザが握る部分またはその他の電子ペンの部分のタッチの有無を判断するようにしてもよい。
【００３４】
バスライン２４０は、各構成要素の間を接続するためのアドレスバスおよびデータバス等である。
【００３５】
図５は、通信装置２４のハードウェア構成を示す図である。通信装置２４は、ＣＰＵ３２１と、ＲＯＭ３２２と、ＲＡＭ３２３と、フラッシュメモリ３２４と、ＳＳＤ３２５と、電源スイッチ３２６と、ネットワークＩ／Ｆ３３１と、カメラ３３２と、撮像素子Ｉ／Ｆ３３３と、マイクロフォン３３４と、スピーカ３３５と、音声入出力Ｉ／Ｆ３３６と、表示部３３７と、表示Ｉ／Ｆ３３８と、入力部３３９と、入力Ｉ／Ｆ３４０と、バスライン３４１とを備える。
【００３６】
ＣＰＵ３２１は、通信装置２４の全体の動作を制御する。ＲＯＭ３２２は、ＣＰＵ３２１の駆動に用いられるプログラムを記憶する。ＲＡＭ３２３は、ＣＰＵ３２１のワークエリアとして使用される。フラッシュメモリ３２４は、通信装置２４用の制御プログラムおよび画像データ等の各種データを記憶する。通信装置２４は、フラッシュメモリ３２４に代えて、ＥＥＰＲＯＭ等を備えてもよい。ＳＳＤ３２５は、ＣＰＵ３２１の制御に従ってフラッシュメモリ３２４に対する各種データの読み出しまたは書き込みを制御する。電源スイッチ３２６は、通信装置２４の電源のオン／オフを切り換えるためのボタンである。
【００３７】
ネットワークＩ／Ｆ３３１は、ネットワークを介した通信を制御する。カメラ３３２は、ＣＰＵ３２１の制御に従って被写体を撮像して画像データを得る。撮像素子Ｉ／Ｆ３３３は、カメラ３３２の駆動を制御する。マイクロフォン３３４は、音を入力する。スピーカ３３５は、音を出力する。音声入出力Ｉ／Ｆ３３６は、ＣＰＵ３２１の制御に従ってマイクロフォン３３４およびスピーカ３３５との間で音信号の入出力を処理する。
【００３８】
表示部３３７は、画像データに応じた画像および操作用アイコン等を表示する。表示Ｉ／Ｆ３３８は、ＣＰＵ３２１の制御に従って表示部３３７に画像データを伝送する。入力部３３９は、例えばキーボードまたはマウス等に対するユーザの操作入力を受け付ける。入力Ｉ／Ｆ３４０は、入力部３３９に対してされた操作入力を検出する。バスライン３４１は、各構成要素の間を接続するためのアドレスバスおよびデータバス等である。
【００３９】
図６は、記録装置５０のハードウェア構成を示す図である。管理装置３０、中継装置４０および記録装置５０は、一般的なコンピュータと同様の構成である。以下、記録装置５０を代表して説明する。
【００４０】
記録装置５０は、ＣＰＵ４２１と、ＲＯＭ４２２と、ＲＡＭ４２３と、ＨＤ４３１と、ＨＤＤ４３２と、ネットワークＩ／Ｆ４３３と、バスライン４４１とを備える。
【００４１】
ＣＰＵ４２１は、記録装置５０の全体の動作を制御する。ＲＯＭ４２２は、ＣＰＵ４２１の駆動に用いられるプログラムを記憶する。ＲＡＭ４２３は、ＣＰＵ４２１のワークエリアとして使用される。
【００４２】
ＨＤ４３１は、記録装置５０が受信したデータ等を記憶する。ＨＤＤ４３２は、ＣＰＵ４２１の制御に従ってＨＤ４３１に対する各種データの読み出しまたは書き込みを制御する。ネットワークＩ／Ｆ４３１は、ネットワークを介した通信を制御する。バスライン４４１は、各構成要素の間を接続するためのアドレスバスおよびデータバス等である。
【００４３】
（機能構成）
図７は、会議システム１０のコミュニケーションデータの伝送のための機能ブロックを示す図である。端末装置２０の一つである電子黒板２２は、描画部６０と、データ入力部６１と、データ送信部６２と、データ受信部６３と、データ出力部６４とを有する。電子黒板２２以外の端末装置２０である通信装置２４は、データ入力部６１と、データ送信部６２と、データ受信部６３と、データ出力部６４とを有する。すなわち、通信装置２４は、描画部６０を有さない。
【００４４】
なお、会議システム１０が備える複数の端末装置２０のうち少なくとも１つは、描画部６０を有する。本実施形態においては、電子黒板２２が、描画部６０を有する端末装置２０である。
【００４５】
描画部６０は、電子ペンまたはジェスチャによるユーザによる描画操作を受け付ける。描画部６０は、受け付けた描画操作に応じた描画データを生成して、ディスプレイ２２０に表示する。描画データは、例えば、文字または図形等の画面上の位置および大きさを表すベクターデータであってもよいし、ラスタデータであってもよいし、これらを組み合わせたデータであってもよい。
【００４６】
データ入力部６１は、他の端末装置２０のユーザへと伝達する情報を表すコミュニケーションデータを入力する。電子黒板２２のデータ入力部６１は、音声入力部６６、画像入力部６７および描画入力部６８を含む。通信装置２４のデータ入力部６１は、音声入力部６６および画像入力部６７を含む。
【００４７】
音声入力部６６は、ユーザ等の音声をマイクロフォン等で集音した音声データを入力する。画像入力部６７は、ユーザ等をカメラで撮像した画像を表す画像データを入力する。描画入力部６８は、描画部６０が生成した描画データを入力する。
【００４８】
データ送信部６２は、データ入力部６１が入力したコミュニケーションデータをネットワークを介して中継装置４０に送信する。電子黒板２２のデータ送信部６２は、音声データ、画像データおよび描画データを含むコミュニケーションデータを送信する。通信装置２４のデータ送信部６２は、音声データおよび画像データを含むコミュニケーションデータを送信する。
【００４９】
中継装置４０は、それぞれの端末装置２０から受信したコミュニケーションデータを、他の全ての端末装置２０へと転送する。これにより、それぞれの端末装置２０は、自身が生成したコミュニケーションデータを他の全ての端末装置２０へと送信することができる。また、それぞれの端末装置２０は、他の全ての端末装置２０が生成したコミュニケーションデータを受信することができる。
【００５０】
なお、中継装置４０は、管理装置３０の制御に応じて、コミュニケーションデータに含まれる一部のデータの転送を停止してもよい。例えば、中継装置４０は、発表者の端末装置２０から送信された画像データを、他の端末装置２０へと転送するが、発表者以外の端末装置２０から送信された画像データを転送しないようにしてもよい。
【００５１】
データ受信部６３は、他の端末装置２０が送信したコミュニケーションデータを、ネットワークを介して中継装置４０から受信する。描画部６０を有さない端末装置２０（通信装置２４）のデータ受信部６３は、音声データ、画像データおよび描画データを含むコミュニケーションデータを受信する。描画部６０を有する端末装置２０（電子黒板２２）のデータ受信部６３は、音声データおよび画像データを含むコミュニケーションデータを受信する。
【００５２】
データ出力部６４は、データ受信部６３が受信したコミュニケーションデータをユーザに出力する。通信装置２４のデータ出力部６４は、音声出力部６９、画像出力部７０および描画出力部７１を含む。電子黒板２２のデータ出力部６４は、音声出力部６９および画像出力部７０を含む。
【００５３】
音声出力部６９は、音声データをスピーカに出力させる。画像出力部７０は、画像データを表示装置に表示させる。描画出力部７１は、描画データを表示装置に表示させる。
【００５４】
このような会議システム１０によれば、複数の端末装置２０の間でコミュニケーションデータを送受信して、遠隔地のユーザ間のコミュニケーションを媒介することができる。
【００５５】
図８は、会議システム１０の会議データの生成および出力のための機能ブロックを示す図である。描画部６０を有する端末装置２０の一例である電子黒板２２は、開始検出部８１と、終了検出部８２と、位置検出部８３と、画面取得部８４と、情報送信部８５とを有する。
【００５６】
開始検出部８１は、描画部６０が議論の開始を示す所定の描画操作を受け付けた場合、議論の開始を検出する。そして、開始検出部８１は、議論を開始した時点を示す開始時刻を特定する。
【００５７】
開始検出部８１は、例えば、ユーザが電子黒板２２のディスプレイ２２０に対して予め定められた形状を描いた場合に、議論の開始を検出する。例えば、開始検出部８１は、ユーザがディスプレイ２２０に対して、所定の長さの横線、所定の長さの二重線、所定の大きさの四角形または予め定められた色の予め定められた形状等を描いた場合に、議論の開始を検出する。
【００５８】
終了検出部８２は、議論の開始が検出された後において、所定の条件を満たした場合、その議論の終了を検出する。そして、終了検出部８２は、議論を終了した時点を示す終了時刻を特定する。
【００５９】
終了検出部８２は、例えば、議論の開始が検出された後に、コミュニケーションデータに含まれる音声データの空白期間が一定期間より長くなった場合、議論の終了を検出する。また、終了検出部８２は、例えば、議論の開始が検出された後に、描画部６０が議論の終了を示す所定の描画を受け付けた場合、議論の終了を検出してもよい。例えば、終了検出部８２は、ユーザがディスプレイ２２０に対して、所定の大きさの×印等を描いた場合に、議論の終了を検出する。
【００６０】
また、終了検出部８２は、例えば、議論の開始が検出された後に、ユーザが所定の操作をした場合、議論の終了を検出してもよい。例えば、開始検出部８１は、議論の開始を検出した場合、記録中を示すマークおよび記録停止を示すボタンをディスプレイ２２０に表示する。そして、終了検出部８２は、ユーザが記録停止を示すボタンを押した場合に、議論の終了を検出する。
【００６１】
位置検出部８３は、描画部６０が議論の開始を示す所定の描画操作を受け付けた位置を検出する。そして、位置検出部８３は、検出した位置を表す位置情報を生成する。例えば、位置検出部８３は、議論の開始を示す所定の描画がされた座標を検出し、検出した座標を位置情報とする。
【００６２】
画面取得部８４は、会議が終了した場合に、ディスプレイ２２０に表示された画像を表す画面データを取得する。画面取得部８４は、例えば、会議終了時においてディスプレイ２２０に表示されている画像をキャプチャリングして画面データを生成する。画面取得部８４は、例えば、会議の終了時における描画データを取得してもよい。
【００６３】
情報送信部８５は、開始検出部８１が特定した開始時刻、終了検出部８２が特定した終了時刻、および、位置検出部８３が検出した位置情報を、議論毎に組にして記録装置５０に送信する。また、情報送信部８５は、会議が終了した場合、画面取得部８４が取得した画面データを記録装置５０に送信する。
【００６４】
なお、開始検出部８１、終了検出部８２、位置検出部８３および画面取得部８４は、電子黒板２２に代えて、記録装置５０に備えられてもよい。この場合、開始検出部８１、終了検出部８２、位置検出部８３および画面取得部８４は、描画部６０を有する端末装置２０から送信されたコミュニケーションデータに含まれる描画データを用いて、それぞれの処理を実行する。
【００６５】
記録装置５０は、情報受信部８７と、ユーザデータ取得部８８と、コミュニケーションデータ取得部８９と、バッファ部９０と、議論データ生成部９１と、変換部９２と、会議データ生成部９３と、記憶部９４とを有する。
【００６６】
情報受信部８７は、電子黒板２２から、開始時刻、終了時刻および位置情報の組を議論毎に受信する。また、情報受信部８７は、会議が終了した場合、電子黒板２２から画面データを受信する。
【００６７】
ユーザデータ取得部８８は、会議システム１０に備えられるそれぞれの端末装置２０（電子黒板２２および通信装置２４等）を使用するユーザに関する情報であるユーザデータを、管理装置３０から取得する。ユーザデータは、例えば、それぞれの端末装置２０を使用するユーザのユーザ名、および、それぞれのユーザに設定されている会議における役割等を含む。
【００６８】
コミュニケーションデータ取得部８９は、それぞれの端末装置２０から送信されたコミュニケーションデータを取得する。コミュニケーションデータ取得部８９は、それぞれの端末装置２０からネットワークを介してコミュニケーションデータを受信してもよいし、中継装置４０からコミュニケーションデータを取得してもよい。
【００６９】
バッファ部９０は、コミュニケーションデータ取得部８９が取得したコミュニケーションデータを一時的に記憶する。バッファ部９０は、記憶を開始してから、一定時間以上経過したコミュニケーションデータを削除してもよい。ただし、バッファ部９０は、少なくとも、任意の議論が開始されてからその議論が終了されるまでの期間以上、コミュニケーションデータを記憶する。
【００７０】
議論データ生成部９１は、情報受信部８７が、開始時刻、終了時刻および位置情報を受信する毎に、バッファ部９０から、コミュニケーションデータにおける議論を開始した開始時刻から議論を終了した終了時刻までの部分を抽出する。そして、議論データ生成部９１は、抽出した部分のコミュニケーションデータに基づき、その議論におけるユーザ毎の発言を表す議論データを生成する。
【００７１】
例えば、議論データ生成部９１は、開始時刻から終了時刻までのコミュニケーションデータを、ユーザの発言毎に分割する。議論データ生成部９１は、発言毎に、発言時刻、ユーザ名、および、コミュニケーションデータ（例えば、音声データおよび画像データ）を組にした発言データを生成する。そして、議論データ生成部９１は、少なくとも１つの発言データを含む議論データを生成する。
【００７２】
変換部９２は、議論データ生成部９１により抽出したコミュニケーションデータに含まれる音声データを、音声認識処理によりテキストデータに変換する。そして、変換部９２は、変換したテキストデータを議論データ生成部９１に与える。この場合、議論データ生成部９１は、取得したテキストデータを発言毎に分割して、それぞれの発言データに含める。
【００７３】
また、ユーザが手話等のジェスチャをしている場合、変換部９２は、議論データ生成部９１により抽出したコミュニケーションデータに含まれる画像データを、ジェスチャ認識処理によりテキストデータに変換してもよい。この場合も、変換部９２は、変換したテキストデータを議論データ生成部９１に与える。そして、議論データ生成部９１は、取得したテキストデータを発言毎に分割して、それぞれの発言データに含める。
【００７４】
会議データ生成部９３は、会議が終了した場合、会議データを生成する。より詳しくは、会議データ生成部９３は、会議が終了時において情報受信部８７が受信した画面データと、ユーザデータ取得部８８が取得したユーザデータと、情報受信部８７が受信した位置情報と、議論データ生成部９１が生成した少なくとも１つの議論データと、を含む会議データを生成する。
【００７５】
会議データ生成部９３は、それぞれの議論毎に、１つの位置情報と１つの議論データとを組にして会議データに含める。また、会議データ生成部９３は、位置情報が示す位置の離間距離が予め定められた値以下である複数の議論データを、１つの位置情報と１つの議論データとの組に合成してもよい。
【００７６】
記憶部９４は、会議データ生成部９３により生成された会議データを記憶する。
【００７７】
端末装置２０は、会議データ取得部９５と、画面データ表示部９６と、リンク表示部９７と、議論データ出力部９８とを有する。なお、会議データ取得部９５、画面データ表示部９６、リンク表示部９７および議論データ出力部９８を有する端末装置２０は、少なくとも表示装置を有すれば、電子黒板２２であっても、通信装置２４であっても、その他の端末装置２０であってもよい。
【００７８】
会議データ取得部９５は、ユーザの指示に従って記憶部９４から会議データを取得する。画面データ表示部９６は、取得した会議データに含まれる画面データを表示装置に表示させる。リンク表示部９７は、表示装置における、取得した会議データに含まれる位置情報に示された位置に、議論データの存在を示すリンク情報を表示させる。
【００７９】
議論データ出力部９８は、何れかのリンク情報がユーザにより選択された場合、選択されたリンク情報に対応する議論データを出力する。例えば、議論データ出力部９８は、議論データに含まれる発言データを表示する。例えば、音声データを認識したテキストデータが議論データに含まれる場合、議論データ出力部９８は、発言毎にテキストデータを表示する。また、この場合、議論データ出力部９８は、ユーザの役割に応じて発言の表示を変更してもよい。
【００８０】
図９は、会議データの構成を示す図である。記録装置５０は、例えば、図９に示すような構成の会議データを生成する。
【００８１】
会議データは、例えば、画面データと、ユーザデータと、少なくとも１つの議論ＩＤ、位置情報および議論データの組とを含む。画面データは、会議が終了した場合において、ディスプレイ２２０に表示された画像を表す。ユーザデータは、それぞれの端末装置２０を使用するユーザに関する情報である。ユーザデータは、例えば、ユーザ毎に、ユーザ名および役割を含む。
【００８２】
議論ＩＤは、議論を識別する番号である。位置情報は、その議論の開始を示す描画操作がされた位置を示す。議論データは、その議論におけるユーザ毎の発言を表す。具体的には、議論データは、少なくとも１つの発言データを含む。
【００８３】
発言データは、ユーザ毎の発言を表す。具体的には、発言データは、発言毎に、発言時刻、ユーザ名、および、その発言に対応するコミュニケーションデータ（例えば、音声データ、画像データおよびテキストデータ）を含む。
【００８４】
（処理フロー）
図１０は、会議中における議論データの生成処理手順を示すフローチャートである。会議システム１０の電子黒板２２および記録装置５０は、会議が開始された場合、図１０に示す処理を実行する。
【００８５】
まず、ステップＳ１１において、記録装置５０は、複数の端末装置２０から送信されたコミュニケーションデータの受信を開始する。続いて、ステップＳ１２において、記録装置５０は、受信したコミュニケーションデータのバッファリングを開始する。続いて、ステップＳ１３において、記録装置５０は、管理装置３０から、会議に参加しているユーザに関するユーザデータを取得する。
【００８６】
一方、ステップＳ１４において、電子黒板２２は、議論の開始が検出されたか否かを検出する。具体的には、電子黒板２２は、議論の開始を示す所定の描画操作を受け付けたか否かを検出する。議論の開始が検出された場合（Ｓ１４のＹｅｓ）、電子黒板２２は、処理をステップＳ１５に進め、検出されない場合（Ｓ１４のＮｏ）、処理をステップＳ１４で待機する。
【００８７】
ステップＳ１５において、電子黒板２２は、議論を開始した時点を示す開始時刻を特定する。続いて、ステップＳ１６において、電子黒板２２は、議論の開始を示す所定の描画操作を受け付けた位置を検出する。
【００８８】
続いて、ステップＳ１７において、電子黒板２２は、議論の終了が検出されたか否かを検出する。電子黒板２２は、例えば、コミュニケーションデータに含まれる音声データの空白期間が一定期間より長くなった場合、議論の終了と判断する。また、例えば、電子黒板２２は、議論の終了を示す所定の描画を受け付けた場合、議論の終了を検出してもよい。議論の終了が検出された場合（Ｓ１７のＹｅｓ）、電子黒板２２は、処理をステップＳ１８に進め、検出されない場合（Ｓ１７のＮｏ）、処理をステップＳ１７で待機する。
【００８９】
ステップＳ１８において、電子黒板２２は、議論を終了した時点を示す終了時刻を特定する。続いて、ステップＳ１９において、電子黒板２２は、開始時刻、終了時刻および位置情報の組を記録装置５０に送信する。ステップＳ１９を終えると、電子黒板２２は、処理をステップＳ１４に戻して、会議が終了するまでステップＳ１４からステップＳ１９の処理を繰り返す。
【００９０】
一方、ステップＳ２０において、記録装置５０は、電子黒板２２から、開始時刻、終了時刻および位置情報の組を受信する。続いて、ステップＳ２１において、記録装置５０は、コミュニケーションデータにおける開始時刻から終了時刻までの部分を抽出する。
【００９１】
続いて、ステップＳ２２において、記録装置５０は、抽出した部分のコミュニケーションデータに基づき、その議論におけるユーザ毎の発言を表す議論データを生成する。例えば、記録装置５０は、開始時刻から終了時刻までのコミュニケーションデータを発言毎に分割する。記録装置５０は、発言毎に、発言時刻、ユーザ名、および、コミュニケーションデータ（例えば、音声データおよび画像データ）を組にした発言データを生成する。そして、議論データ生成部９１は、少なくとも１つの発言に関する発言データを含む議論データを生成する。なお、記録装置５０は、議論データに、音声データから変換されたテキストデータを含めてもよい。
【００９２】
続いて、ステップＳ２３において、記録装置５０は、生成した議論データに対応する位置情報と、これまでに生成した何れかの議論データに対応する位置情報とが近いか否かを判断する。より詳しくは、記録装置５０は、生成した議論データに対応する位置情報と、これまでに生成した何れかの議論データに対応する位置情報との間の距離が、予め定められた長さ以内であるかを判断する。
【００９３】
近い位置情報が存在しない場合には（Ｓ２３のＮｏ）、記録装置５０は、処理をステップＳ２５に進める。近い位置情報が存在する場合（Ｓ２３のＹｅｓ）、ステップＳ２４において、記録装置５０は、２つの位置情報を１つ合成するとともに、位置情報が近い２つの議論データを１つに合成し、処理をステップＳ２５に進める。
【００９４】
そして、ステップＳ２５において、記録装置５０は、位置情報と生成した議論データとを組にして、一時的に保存する。ステップＳ２５を終えると、記録装置５０は、処理をステップＳ２０に戻して、会議が終了するまでステップＳ２０からステップＳ２５までの処理を繰り返す。
【００９５】
図１１は、会議の終了時における処理手順を示すフローチャートである。会議システム１０の電子黒板２２および記録装置５０は、ユーザ間の会議が終了する場合、図１１に示す処理を実行する。
【００９６】
まず、ステップＳ３１において、電子黒板２２および記録装置５０は、例えば管理装置３０等から会議の終了の通知を受ける。続いて、ステップＳ３２において、記録装置５０は、コミュニケーションデータの受信を終了する。続いて、ステップＳ３３において、記録装置５０は、コミュニケーションデータのバッファリングを終了する。
【００９７】
一方、ステップＳ３４において、電子黒板２２は、ディスプレイ２２０に表示された画像を表す画面データを取得する。電子黒板２２は、例えば、会議終了時におけるディスプレイ２２０に表示されている画像をキャプチャリングして画面データを生成する。続いて、ステップＳ３５において、電子黒板２２は、取得した画面データを記録装置５０に送信する。
【００９８】
続いて、ステップＳ３６において、記録装置５０は、電子黒板２２から画面データを受信する。続いて、ステップＳ３７において、記録装置５０は、会議データを生成する。より具体的には、記録装置５０は、画面データと、ユーザデータと、少なくとも１つの議論データと、議論データに対応する位置情報とを含む会議データを生成する。続いて、ステップＳ３８において、記録装置５０は、生成した会議データを保存する。
【００９９】
図１２は、会議データの出力時の処理手順を示すフローチャートである。何れかの端末装置２０は、記録装置５０が保存した会議データを読み出して、出力することができる。会議データは、電子黒板２２に限らず、少なくとも表示装置を有していれば何れの端末装置２０であっても出力することが可能である。
【０１００】
まず、ステップＳ４１において、端末装置２０は、ユーザによる操作に応じて記録装置５０から何れかの会議データを選択して、取得する。続いて、ステップＳ４２において、端末装置２０は、取得した会議データに含まれる画面データを、表示装置に表示する。
【０１０１】
続いて、ステップＳ４３において、端末装置２０は、取得した会議データに含まれる全ての位置情報に基づき、それぞれの位置情報に対応する位置に、リンク情報を表示する。リンク情報は、議論データの存在を示すマーク等である。続いて、ステップＳ４４において、端末装置２０は、いずれかのリンク情報がユーザにより選択されたか否かを判断する。何れのリンク情報が選択されない場合（Ｓ４４のＮｏ）、端末装置２０は、処理をステップＳ４４で待機する。何れかのリンク情報が選択された場合（Ｓ４４のＹｅｓ）、端末装置２０は、処理をステップＳ４５に進める。
【０１０２】
ステップＳ４５において、端末装置２０は、選択されたリンク情報の元となる位置情報に対応する議論データを出力する。例えば、端末装置２０は、議論データに含まれる発言データを表示する。また、音声データを認識したテキストデータが議論データに含まれる場合、端末装置２０は、発言毎にテキストデータを表示する。また、この場合、端末装置２０は、ユーザの役割に応じて発言の表示を変更してもよい。
【０１０３】
端末装置２０は、ステップＳ４５の処理を終えると、処理をステップＳ４４に戻す。そして、端末装置２０は、リンク情報が選択される毎に、対応する議論データを出力する。
【０１０４】
（電子黒板２２への表示例等）
図１３は、会議中において所定の描画操作がされた電子黒板２２を示す図である。会議をする場合、電子黒板２２のディスプレイ２２０には、議論の対象を表す描画データ１１１が表示されている。会議に参加しているユーザは、描画データ１１１を参照しながら議論を行う。
【０１０５】
例えば、ディスプレイ２２０に表示されている描画データ１１１のある一部分について議論を開始する場合、電子黒板２２のユーザは、電子ペン等を用いて、その議論の対象となる一部分の上に、議論を開始することを示す所定の描画操作を行う。本例においては、電子黒板２２のユーザは、「高さ  １００ｃｍ」と記載された部分に、四角形１１２の図形を描いた。
【０１０６】
電子黒板２２は、この四角形１１２が描かれたことをトリガとして、この四角形１１２が描かれた部分に関する議論が開始されたと判断する。なお、電子黒板２２は、議論を開始することを示す所定の描画操作を予め登録しており、ユーザの描画操作が、予め登録している描画操作と一致したか否かを判断する。なお、所定の描画操作は、四角形１１２の描画に限られない。
【０１０７】
続いて、電子黒板２２は、議論が開始されたことを検出した後に、コミュニケーションデータに含まれる音声データが一定時間以上空白となった場合、議論が終了したと判断する。電子黒板２２は、空白期間が一定時間未満であれば、発言するユーザが変わっても、その議論は継続していると判断する。また、電子黒板２２は、ユーザが電子ペン等を用いて、議論を終了することを示す所定の描画操作を行った場合に、議論が終了したと判断してもよい。
【０１０８】
図１４は、会議中において所定の描画操作をしたことに応じて停止ボタン１１３が表示された電子黒板２２を示す図である。また、電子黒板２２は、議論を開始することを示す所定の描画操作を検出した場合、議論の記録の停止を指示するための停止ボタン１１３を表示してもよい。これにより、ユーザは、停止ボタン１１３が表示されている期間は、議論の記録中であると理解することができる。
【０１０９】
ユーザは、議論が終了した場合、電子ペン等により、停止ボタン１１３を操作する。電子黒板２２は、電子ペン等により停止ボタン１１３が押された場合、議論が終了したと判断する。
【０１１０】
図１５は、画面データを表示した電子黒板２２を示す図である。会議が終了した後において、会議でされた議論の内容を確認する場合、例えば、電子黒板２２は、ユーザにより選択された会議データを記録装置５０から取得する。そして、電子黒板２２は、会議データに含まれる画面データをディスプレイ２２０に表示する。
【０１１１】
さらに、電子黒板２２は、会議データに含まれる全ての位置情報に示される位置に、画面データに重ねて、リンク情報１２１を表示する。本例において、リンク情報１２１は、ドット形状である。リンク情報１２１は、このような形状に限られない。電子黒板２２は、このようなリンク情報１２１を表示することにより、画面データのリンク情報１２１が表示された部分について議論がされたことをユーザに知らせることができる
【０１１２】
図１６は、議論データを表示した電子黒板２２を示す図である。ユーザにより何れかのリンク情報１２１が選択された場合、電子黒板２２は、選択されたリンク情報の元となる位置情報に対応する議論データを表示する。電子黒板２２は、例えば、選択されたリンク情報１２１の近傍に吹き出し１２２を表示し、その吹き出し１２２内に議論データを表示する。
【０１１３】
図１７は、議論データの表示例を示す図である。電子黒板２２は、例えば、議論データに含まれる複数の発言データ１３１を吹き出し１２２内に時系列に並べて表示する。
【０１１４】
電子黒板２２は、例えば、画像データ１３２、発言時刻１３３、ユーザ名１３４、役割１３５，１３６、および、テキストデータ１３７を含む発言データ１３１を表示する。テキストデータ１３７は、音声データを認識処理して得られたデータである。画像データ１３２は、サムネイル画像であってもよい。これにより、電子黒板２２は、議論での発言の内容をユーザに確認させることができる。
【０１１５】
図１８は、ユーザの役割毎の発言の強調方法を表すテーブルを示す図である。図１９は、ユーザの役割に応じて発言が強調された議論データの表示例を示す図である。
【０１１６】
電子黒板２２は、例えば、ユーザの役割と、それぞれの役割に応じた表示の強調方法とを対応付けるテーブルを予め記憶していてもよい。図１８のようなテーブルを記憶している場合、電子黒板２２は、図１９に示すように、ユーザの役割に応じてそれぞれの発言の表示を変更してもよい。すなわち、電子黒板２２は、リーダの発言部分を濃いハッチングとし、サブリーダの発言部分を薄いハッチングとし、担当者の発言部分をハッチング無しとする。
【０１１７】
また、電子黒板２２は、他の方法により表示を強調してもよい。例えば、電子黒板２２は、テキストの色を役割毎に代えてもよい。例えば、電子黒板２２は、発表者の発言に含まれるテキストを赤字または太字とし、参加者の発言に含まれるテキストを黒字または細字としてもよい。
【０１１８】
（効果等）
以上のように、本実施形態に係る会議システム１０によれば、ユーザが所定の描画操作をすることにより会議中における議論の内容の記録を開始するので、確実且つ効率良く議論の内容を抽出して記録することができる。
【０１１９】
以上説明した本実施形態の端末装置２０および記録装置５０は、通常のコンピュータとして機能するためのハードウェアを含む。本実施形態の端末装置２０および記録装置５０で実行されるプログラムは、インストール可能な形式または実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【０１２０】
また、本実施形態の端末装置２０および記録装置５０で実行されるプログラムを、インターネット等のネットワークに接続されたコンピュータ上に格納し、ネットワーク経由でダウンロードさせることにより提供してもよい。また、本実施形態の端末装置２０および記録装置５０で実行されるプログラムをインターネット等のネットワーク経由で提供または配布してもよい。また、本実施形態のプログラムを、ＲＯＭ等に予め組み込んで提供してもよい。
【０１２１】
本実施形態の電子黒板２２等の端末装置２０で実行されるプログラムは、描画モジュール、データ入力モジュール、データ送信モジュール、データ受信モジュールおよびデータ出力モジュールを含むモジュール構成となっている。端末装置２０は、記録媒体からこのプログラムを読み出して実行することにより、プロセッサが描画部６０、データ入力部６１、データ送信部６２、データ受信部６３およびデータ出力部６４として機能する。
【０１２２】
また、本実施形態の記録装置５０、または、描画部６０を有する端末装置２０で実行されるプログラムは、開始検出モジュール、終了検出モジュール、位置検出モジュールおよび画面取得モジュールを含むモジュール構成となっている。記録装置５０、または、描画部６０を有する端末装置２０は、記録媒体からこのプログラムを読み出して実行することにより、プロセッサが開始検出部８１、終了検出部８２、位置検出部８３および画面取得部８４として機能する。
【０１２３】
また、本実施形態の記録装置５０で実行されるプログラムは、ユーザデータ取得モジュール、コミュニケーションデータ取得モジュール、議論データ生成モジュール、変換モジュールおよび会議データ生成モジュールを含むモジュール構成となっている。記録装置５０は、記録媒体からこのプログラムを読み出して実行することにより、プロセッサがユーザデータ取得部８８、コミュニケーションデータ取得部８９、議論データ生成部９１、変換部９２および会議データ生成部９３として機能する。
【０１２４】
また、本実施形態の端末装置２０で実行されるプログラムは、会議データ取得モジュール、画面データ表示モジュール、リンク表示モジュールおよび議論データ出力モジュールを含むモジュール構成となっている。端末装置２０は、記録媒体からこのプログラムを読み出して実行することにより、プロセッサが会議データ取得部９５、画面データ表示部９６、リンク表示部９７および議論データ出力部９８として機能する。なお、端末装置２０および記録装置５０は、一部がハードウェアにより実現されていてもよい。
【０１２５】
以上、本発明の実施形態を説明したが、実施形態は、例として提示したものであり、発明の範囲を限定することは意図していない。これら新規な実施形態は、その他の様々な形態で実施されることが可能である。
【符号の説明】
【０１２６】
１０  会議システム
２０  端末装置
２２  電子黒板
２３  マイクロフォンスピーカ
２４  通信装置
２５  表示装置
２６  コンピュータ
３０  管理装置
４０  中継装置
５０  記録装置
６０  描画部
６１  データ入力部
６２  データ送信部
６３  データ受信部
６４  データ出力部
６６  音声入力部
６７  画像入力部
６８  描画入力部
６９  音声出力部
７０  画像出力部
７１  描画出力部
８１  開始検出部
８２  終了検出部
８３  位置検出部
８４  画面取得部
８５  情報送信部
８７  情報受信部
８８  ユーザデータ取得部
８９  コミュニケーションデータ取得部
９０  バッファ部
９１  議論データ生成部
９２  変換部
９３  会議データ生成部
９４  記憶部
９５  会議データ取得部
９６  画面データ表示部
９７  リンク表示部
９８  議論データ出力部
【先行技術文献】
【特許文献】
【０１２７】
【特許文献１】特許第３７７５４４６号公報
【図１】
2017016484.tif 000003
【図２】
2017016484.tif 000004
【図３】
2017016484.tif 000005
【図４】
2017016484.tif 000006
【図５】
2017016484.tif 000007
【図６】
2017016484.tif 000008
【図７】
2017016484.tif 000009
【図８】
2017016484.tif 000010
【図９】
2017016484.tif 000011
【図１０】
2017016484.tif 000012
【図１１】
2017016484.tif 000013
【図１２】
2017016484.tif 000014
【図１３】
2017016484.tif 000015
【図１４】
2017016484.tif 000016
【図１５】
2017016484.tif 000017
【図１６】
2017016484.tif 000018
【図１７】
2017016484.tif 000019
【図１８】
2017016484.tif 000020
【図１９】
2017016484.tif 000021